(57)【要約】【課題】  障子上面と上枠内周面との間における上枠の案内レールの室内側の空気の対流を抑制して、断熱性能を向上させることができる断熱サッシを提供する。【解決手段】  上枠、下枠及び左、右縦枠を四周に組んでなる枠体と、枠体に摺動開閉自在に配置される障子と、上枠の内周面に配置される樹脂製のカバー部材とを備え、カバー部材には、カバー部材の見込み方向で端部寄りの下面から障子の上面に向かって延びる可動片を回動自在に設けた。【選択図】図４
2017172258.tif 000002
【特許請求の範囲】
【請求項１】
上枠、下枠及び左、右縦枠を四周に組んでなる枠体と、枠体に摺動開閉自在に配置される障子と、上枠の内周面に配置される樹脂製のカバー部材とを備え、
カバー部材には、カバー部材の見込み方向で端部寄りの下面から障子の上面に向かって延びる可動片を回動自在に設けた
ことを特徴とする断熱サッシ。
【発明の詳細な説明】
【技術分野】
【０００１】
本発明は、建物の開口部に設置される断熱サッシに関する。
【背景技術】
【０００２】
従来より、建物の開口部に設置されるサッシには断熱性が求められており、断熱性を向上させたサッシとして、枠体を室内側部材と室外側部材とを断熱部材により連結して構成することにより、室内外に亘る熱の伝達を抑制した引違い式の断熱サッシは知られている。
このような引違い式の断熱サッシにおいて、上枠の室外側部材の外案内レールと室内側部材の内案内レールとの間に亘って樹脂製のカバー部材で覆うと共に、内案内レールの室外側に遮蔽部材を設けることにより、内案内レールに直接外気等があたるのを防止して断熱性能を向上させた断熱サッシは知られていた。
【先行技術文献】
【特許文献】
【０００３】
【特許文献１】特開２００１−５５８６９号公報
【発明の概要】
【発明が解決しようとする課題】
【０００４】
上記特許文献１の断熱サッシにおいては、遮蔽部材を設けることにより、室内側部材の案内レールに直接外気があたることを抑制して断熱性能を向上させるものであるが、障子上面と上枠内周面との間の空間において発生する空気の対流による冷熱の伝達については考慮されていなかった。
そのため、室外より室外側部材に伝達された冷熱は室外側部材の外案内レールの室内面より輻射熱として障子上面と上枠内周面との間の空間の空気に伝達され、さらに、障子と枠体との間の空間における空気の対流により室内に伝達されてしまう可能性があった。
【０００５】
本発明は、上記事情を鑑みたものであり、障子上面と上枠内周面との間における上枠の案内レールの室内側の空気の対流を抑制して、断熱性能を向上させることができる断熱サッシを提供することを目的とするものである。
【課題を解決するための手段】
【０００６】
本発明は、上枠、下枠及び左、右縦枠を四周に組んでなる枠体と、枠体に摺動開閉自在に配置される障子と、上枠の内周面に配置される樹脂製のカバー部材とを備え、カバー部材には、カバー部材の見込み方向で端部寄りの下面から障子の上面に向かって延びる可動片を回動自在に設けたことを特徴とする。
【発明の効果】
【０００７】
障子上面と上枠内周面との間の空間を可動片により分断して、該空間における空気の対流を抑制することができ、断熱性能を向上させることができる。
また、障子の建て込み作業時においても、障子の当接に応じて可動片が上方に回動するので、建て込みの邪魔になることがなく、障子上面に対してより近接させることができるので、上枠の飲み込み量を大きくする必要が無く、上枠の見付け幅を抑えることができる。
【図面の簡単な説明】
【０００８】
【図１】本発明の実施形態に係る断熱サッシの縦断面図である。
【図２】本発明の実施形態に係る断熱サッシの横断面図である。
【図３】本発明の実施形態に係る断熱サッシの上枠の召合せ部分を下から見た平面図である。
【図４】本発明の第１の実施形態に係る断熱サッシの図であり、（ａ）は上枠部分の縦断面図であり、（ｂ）は（ａ）におけるＡ部分の拡大図である。
【図５】本発明の第１の実施形態に係る断熱サッシの図であり、（ａ）は図４（ａ）のＢ部分の拡大図であり、（ｂ）は図４（ａ）におけるＣ部分の拡大図である。
【図６】本発明の第２の実施形態に係る断熱サッシの図であり、（ａ）は上枠部分の縦断面図であり、（ｂ）は（ａ）におけるＤ部分の拡大図である。
【図７】本発明の第３の実施形態に係る断熱サッシの図であり、（ａ）は上枠部分の縦断面図であり、（ｂ）は（ａ）におけるＥ部分の拡大図である。
【発明を実施するための形態】
【０００９】
本発明の実施形態に係る断熱サッシを、図面を参照して説明する。
（全体の構成）
本発明の実施形態に係る断熱サッシは、建物開口部に設置され、図１，２に示すように、上枠１１、下枠１２及び左、右縦枠１３，１４を四周に組んでなる枠体１と、上框２１，３１、下框２２，３２、左縦框２３，３３及び右縦框２４，３４を四周に組んでその内周にパネル体が嵌め込まれてなる内、外障子２，３とからなり、枠体１に形成された内、外案内レールに沿って内、外障子２，３を左右方向に移動可能に支持することにより、引き違いサッシとして構成されている。
なお、本発明の断熱サッシは、引き違いサッシに限るものではなく、片引き窓など、窓枠に対して障子を横にスライドさせて開閉するものであれば、どのような方式のサッシであってもよい。
【００１０】
（枠体の構成）
図１に示すように、枠体１を構成する上枠１１は、アルミニウム等の金属材料により形成された室外側上部材１１１及び室内側上部材１１２と、室外側上部材１１１と室内側上部材１１２とを連結する樹脂等の断熱材からなる連結部材１１３と、室内側上部材１１２の下面内周に配置固定される樹脂製の樹脂上部材１１４とにより構成されている。
室外側上部材１１１の室外寄りの下面には、外障子３を案内する外案内レール１１１ａが垂下されるとともに、室内側上部材１１２の室外側端部の下面には、内障子２を案内する内案内レール１１２ａが垂下されている。
【００１１】
樹脂上部材１１４は、室内側上部材１１２の内案内レール１１２ａの室内面を覆う室外壁部１１４ａと、室内側上部材１１２の下面を覆う上壁部１１４ｂと、上壁部１１４ｂの室内側端が下方に垂下してしてなる室内壁部１１４ｃと、室内壁部１１４ｃの下端が室内側に延設されてなる額部１１４ｄとから形成されており、室内側上部材１１２が直接室内空間に露出することを防止している。
そして、樹脂上部材１１４は、室内側上部材１１２の内周に配置された状態で、上壁部１１４ｂ及び室内側上部材１１２を貫通するネジ等の固定手段（図示はない。）により内周側から複数箇所固定することで、建物の開口部に強固に取付けられている。
【００１２】
樹脂上部材１１４の室内壁部１１４ｃの下端室外側には、内障子２の上框２１の室内側面に近接するように突出部８１が設けられている。突出部８１は、樹脂上部材１１４と一体的に形成されるヒレ片として形成されており、内障子２の室内側面に近接させることにより、内障子２上面の空間を室内空間と分離する半密閉空間として構成することができ、内案内レール１１２ａや樹脂上部材１１４を固定するネジ等の固定手段の金属部分を介して冷熱が伝達された空気が内障子２の上面と上枠１１の下面との間から室内に流れ込むことを抑制している。
【００１３】
外案内レール１１１ａと内案内レール１１２ａの間には、室外側上部材１１１の下面を覆う樹脂製の上カバー部材５１が配置されている。
上カバー部材５１は、上枠１１の略半分の長さを備えた略矩形長尺形状の板状部材として構成されており、図３に示すように、少なくとも上枠１１の召合部上方位置に設置された風止板ｄと左縦枠１３との間に取り付けられ、内、外障子２，３の閉鎖時において外障子３の室内側に露出される室外側上部材１１１の下面から冷熱が室内に直接伝達されることを防止している。
そして、上カバー部材５１には、下方に延びる片状の可動片６が設けられており、外障子３の閉鎖時における外障子３の上框３１の外周面と上枠１１の内周面との空間を分離している。
【００１４】
枠体１を構成する下枠１２は、アルミニウム等の金属材料により形成された室外側下部材１２１及び室内側下部材１２２と、室外側下部材１２１と室内側下部材１２２とを連結する樹脂等の断熱材からなる連結部材１２３と、室内側下部材１２２の上面内周に配置固定される樹脂製の樹脂下部材１２４とにより構成されている。
樹脂下部材１２４は、室内側下部材１２２の上面を覆う底壁部１２４ａと、底壁部１２４ａの室内側端が上方に延設してなる室内壁部１２４ｂと、室内壁部１２４ｂの上端が室内側に延設されてなる額部１２４ｄとから形成されており、室内側下部材１２２が直接室内空間に露出することを防止している。
【００１５】
樹脂下部材１２４の室内側の室内壁部１２４ｂの上端室外側には、内障子２の下框２２の室内側面に近接するように突出部８２が設けられている。突出部８２は、樹脂下部材１２４と一体的に形成されるヒレ片として形成されており、内障子２の室内側面に近接させることにより、内障子２下面の空間を室内空間と分離する半密閉空間として構成することができ、内案内レール１２２ａや樹脂下部材１２４を固定するネジ等の固定手段の金属部分を介して冷熱が伝達された空気が内障子２の下面と下枠１２の上面との間から室内に流れ込むことを抑制している。
【００１６】
室外側下部材１２１の室外寄りの上面には外障子を案内する外案内レール１２１ａが設けられ、室内側下部材１２２の室外側端部より内障子を案内する内案内レール１２２ａが設けられている。
そして、外案内レール１２１ａと内案内レール１２２ａの間には、室外側下部材１２１の上面を覆う樹脂製の下カバー部材５２が配置されている。
下カバー部材５２は、下枠１２の略半分の長さを備えた略矩形長尺形状の板状部材として構成されており、少なくとも下枠１２の召合せ部下方位置に設置された召合せブロック（図示しない）と左縦枠１３との間に取り付けられ、内、外障子２，３の閉鎖時において室内に露出される室外側下部材１２１の上面から冷熱が室内に直接伝達されることを防止している。
【００１７】
図２に示すように、左縦枠１３は、アルミニウム等の金属材料により形成され、内周面に外障子３の戸先框（左縦框）３３に配置される引寄せブロックｆが当接する引寄せ片１３１ａが設けられた本体部材１３１と、本体部材１３１の室内側内周面に配置固定される樹脂左部材１３２により構成されている。
樹脂左部材１３２は、本体部材１３１に係合され左縦枠１３の室内側内周面を覆う本体部１３２ａと、本体部１３２ａの室内側に延設する額部１３２ｂとにより構成されており、本体部１３２ａの室外側面には、外障子３の戸先框３３の室内側面に近接するように突出部８３が設けられるとともに、外障子３の戸先框３３の外周に当接する気密材９３が設けられており、外障子３の戸先框３３の外周面と左縦枠１３の内周面の間の空間を室内空間と分離して、冷熱が伝達された空気が該空間を通って室内に流れ込むことを抑制している。
【００１８】
樹脂左部材１３２の本体部１３２ａには、上下方向の複数箇所において内周方向に開口する取付凹部１３２ｃを備えており、取付凹部１３２ｃの底壁を本体部材１３１に重合させた状態で、両者を貫通するネジ等の固定手段ｂで内周側から複数箇所固定することにより、建物の開口部に強固に取付けられている。
なお、取付凹部１３２ｃは、樹脂左部材１３２の長手方向（上下方向）に連続する溝部として構成してもよい。
【００１９】
取付凹部１３２ｃの開口周縁には、開口の中心（中心線）に向かって延びるヒレ状の遮蔽部材１３２ｄ，１３２ｄが複数設けられており、樹脂左部材１３２を左縦枠１３の本体部材１３１に重合させた状態でネジ等の固定手段ｂで固定した際に、アルミニウム等よりなる左縦枠１３の本体部材１３１を介してネジ等の固定手段ｂに伝達された冷熱が室内への伝達されることを抑制すると共に、ネジ等の固定手段ｂの頭部が室内に露出することによる意匠の低下を抑えている。
【００２０】
右縦枠１４は、アルミニウム等の金属材料により形成され、内周面に内障子２の戸先框（右縦框）２４に配置される引寄せブロックｆが当接する引寄せ片１４１ａが設けられた本体部材１４１と、本体部材１４１の室内側内周面に配置固定される樹脂右部材１４２により構成されている。
樹脂右部材１４２は、本体部材１４１に係合される取付部１４２ａと、取付部１４２ａの室内側端より内周方向へ延びる室内壁部１４２ｂと、室内壁部１４２ｂの内周側端より室内側へ延設する額部１４２ｃにより構成され、取付部１４２ａを本体部材１４１に係合させた状態で、両者を貫通するネジ等の固定手段ｂで内周側から複数箇所固定することにより、建物の開口部に強固に取付けられている。
【００２１】
そして、樹脂右部材１４２の室内壁部１４２ｂの内周端室外側面より内障子２の戸先框２４の室内側面に近接するように突出部８３が設けられており、内障子２の戸先面と右縦枠１４内周面の間の空間を半密閉空間とすることにより、冷熱が伝達された空気が該空間を通って室内に流れ込むことを抑制している。
【００２２】
（障子の構成）
本実施形態に係る引き違いサッシにおいては、内、外障子においてその構成は概ね同じであるので、以下、障子の構成について、主に内障子２を用いて説明する。
図１に示すように、内障子２の上框２１は、アルミニウム等の金属材料により形成された室外側上框部２１１と樹脂等により形成された室内側上框部２１２とからなる複合框として構成されており、上框２１の外周には、上枠１１に形成された内案内レール１１２ａにより案内される案内溝２１ａが形成されている。
案内溝２１ａの室外側上端及び室内側上端には、内案内レール１１２ａに当接もしくは近接する気密材が取付けられており、上枠１１と上框２１との間を気密して、上框２１の上面と上枠１１下面との間を通って外気が直接室内に入り込むことを防止するとともに、上枠１１の樹脂上部材１１４の突出部８１と協働して半密閉空間を形成してサッシの断熱性能を向上させている。
【００２３】
内障子２の下框２２は、アルミニウム等の金属材料により形成された室外側下框部２２１と樹脂等より形成された室内側下框部２２２とからなる複合框として構成されており、下框２２の外周には案内溝２２ａが形成され、案内溝２２ａ内には、下枠１２に形成された内案内レール１２２ａ上を走行する車輪ａが配置されている。
案内溝２２ａの室外側下端には、内案内レール１２２ａに当接する気密材が取付けられており、下枠１２と下框２２との間を気密して、下框２２の下面と下枠１２上面との間を通って外気が直接室内に入り込むことを防止するとともに、下枠１２の樹脂下部材１２４の突出部８２と協働して半密閉空間を形成してサッシの断熱性能を向上させている。
【００２４】
図２に示すように、内障子２の戸先框（右縦框）２４は、アルミニウム等の金属材料により形成された室外側戸先框部２４１と樹脂等より形成された室内側戸先框部２４２とからなる複合框として構成されている。
戸先框２４の外周には右縦枠１４に形成された引寄せ片１４１ａに当接する引寄せブロックｆが設置されているとともに、室外側戸先框部２４１の外周端には内障子２の閉鎖時に引寄せ片１４１ａに当接する気密材が取付けられており、右縦枠１４と戸先框２４との間を気密するとともに、右縦枠１４の樹脂右部材１４２に形成された突出部８３と協働して密閉空間を形成しており、外気が戸先框２４の外周面と右縦枠１４の内周面との間を通って直接室内に入り込むことを防止するとともに、密閉空間を形成してサッシの断熱性能を向上させている。
【００２５】
内障子２の召合框（左縦框）２３は、アルミニウム等の金属材料により形成された室外側召合框部２３１と樹脂等により形成された室内側召合框部２３２とからなり、室内側召合框部２３２が室外側召合框部２３１の室内側面及び外周面、即ち、障子の閉鎖時に室内に露出する面を覆うように一体化され複合框として構成されている。
そして、室外側召合框部２３１の室外側面には煙返し片が形成され、外障子３の召合框３４の室内側面に形成された煙返し片と協働して煙返しｃを構成している。また、室内側召合框部２３２の外周面部分の室外側端には、外障子３の召合框３４の室内側面に近接するように突出部８５が設けられており、外障子３の召合框３４と内障子２の召合框２３との間の空間を半密閉空間として室内空間と分離して、空気の流入を抑制している。
【００２６】
なお、外障子３は、召合框（右縦框）３４全体がアルミニウム等の金属材料により形成され、複合框として構成されていない点で内障子２と異なっている。そして、召合框３４の室内側面の外周端部には、内障子２の召合框２３に当接する気密材が取付けられており、外障子３の召合框３４と内障子２の召合框２３との間を通って外気が直接室内に入り込むことを防止しているとともに、内障子２の召合框（左縦框）２３の突出部８５と協働して半密閉空間を形成している。
【００２７】
−第１の実施形態−
断熱サッシの上枠部分における断熱構造について、図面を参照して、さらに詳細に説明する。
前述のように、上枠１１には、上枠１１の室外側上部材１１１と室内側上部材１１２とにわたって上カバー部材５１が取り付けられており、室外側上部材１１１から冷熱が直接室内に伝達されることを防止している。上カバー部材５１は略矩形長尺状の平板部材により形成されており、図４（ｂ）に示すように、平板部材の室外側端部近傍には、上方に向かって係止爪５１ａが突設されているとともに、室内側端部には、室内側に向かって係止片５１ｂが突設されている。
【００２８】
一方、上枠１１の室外側上部材１１１の外案内レール１１１ａの上方室内側面には、長さ(左右)方向に沿って室内側に突出する突起部１１１ｂが形成されており、上枠１１の室内側上部材１１２の内案内レール１１２ａの上端には室外側に肩部１１２ｂが形成されている。そして、上カバー部材５１の係止爪５１ａ及び係止片５１ｂがそれぞれ室外側上部材１１１の突起部１１１ｂ及び室内側上部材１１２の肩部１１２ｂに係止することにより、上枠１１の内周面に上カバー部材５１が取り付けられ、上枠１１と上カバー部材５１との間には断熱空間Sが形成される。
【００２９】
図５（ａ）に示すように、略矩形長尺状の上カバー部材５１の室内側端部近傍は上方に膨出しており、長手方向に延びる膨出部５１１ａが形成されている。膨出部５１１ａの室外側の下方は室内側に屈曲して支持壁５１１ｂが形成されるとともに、膨出部５１１ａの室内側の下方は下方に延びて室内側壁５１１ｃが形成され、その下端が室外側に屈曲されることで規制壁５１１ｄが形成されており、全体として下方室外側に開口する断面Ｃ字状のヒンジ受部５１１が形成されている。
また、図４（ｂ）に示すように、ヒンジ受部５１１の室内側には、断面Ｃ字状の開口部分に連続して上方に向かって凹む収納凹部５１２が形成されており、収納凹部５１２の外周面には凸部５１２ａが形成されている。
そして、上枠１１の内周面に上カバー部材５１を取り付けるに際しては、膨出部５１１ａが上枠１１の内周面に当接若しくは近接することで、上カバー部材５１にかかる下方からの外力を直接上枠に１１に伝達することができるので、上カバー部材５１が撓んだり、破損したりすることを抑止でき、多少撓んでも凸部５１２ａが上枠１１の内周面に当接することで、それ以上に上カバー部材５１が大きく変形して破損することを防止できる。
【００３０】
可動片６は、図４（ａ），（ｂ）に示すように、上カバー部材５１よりも幅狭の略矩形長尺状の平板部材により形成されており、平板部材の室内側端部に形成されるヒンジ軸部６１と、ヒンジ軸部６１に連続して形成される連絡部６２と、連絡部６２に対して所定角度傾斜して連続して形成されるフラップ部６３とからなる。
ヒンジ軸部６１は、図５（ａ）に示すように、規制壁５１１ｄの上面に支持される下方支持軸６１１と支持壁５１１ｂの上面に支持される上方支持軸６１２とにより構成され、ヒンジ軸部６１が上カバー部材５１のヒンジ受部５１１に対して側方端面より挿入されることで、可動片６は上カバー部材５１に対して所定角度の範囲において回動自在に取付けられている。
フラップ部６３は、反ヒンジ軸部側が厚肉に形成されており、図５（ｂ）に示すように、その先端下方角部が斜めに面取りされたテーパー面６３ａとして形成されている。
【００３１】
そして、図４（ｂ）の実線にて示すように、上カバー部材５１の見込み方向で端部寄りである室内寄りのヒンジ受部５１１にヒンジ軸部６１が取り付けられた可動片６は、ヒンジ軸部６１からフラップ部６３が室外側下方に向かって延び、フラップ部６３の室外側先端部が外障子３の上框３１の上（外周）面に近接するように配置されることとなる。
このとき、断面Ｃ字状のヒンジ受部５１１内に挿入されたヒンジ軸部６１は、図５（ａ）に示すように、下方支持軸６１１が規制壁５１１ｄの上面に支持された状態で、上方支持軸６１２が支持壁５１１ｂの上面に当接されるとともに、連絡部６２の室内側面が規制壁５１１ｄの先端に当接することにより、フラップ部６３の回動が規制されて、上カバー部材５１に対して４５度未満の角度α（略２０度）で傾斜した状態に維持される。そして、フラップ部６３は、反ヒンジ軸部側に形成された厚肉部分がおもりとなり、傾斜状態を安定して維持することができる。
フラップ部６３の室外側先端部と外障子３の上框３１の上面との間隔ｙを１０ｍｍ以下とすることで、外障子３の上框３１と上枠１１との間に半密閉空間ｓ１を形成することができる。
【００３２】
上記第１の実施例においては、可動片６が上カバー部材５１の見込み方向で室内側から室外側に向かって下方に傾斜して配置されており、その傾斜角度はヒンジ受部５１１によって水平面に対して４５度以下に規制されているので、外障子３を室内側からけんどんにより建て込むときに、フラップ部６３の下面に当接する障子上端の力に対して室内側のヒンジ軸部６１を中心としてスムーズに回動することができるので、可動片６の変形や破損を防止することができる。
そして、上カバー部材５１には、収納凹部５１２が形成されており、上方に回動した可動片６を収納することができるので、上枠１１の室外側上部材１１１の内周面と上カバー部材５１との間に断熱空間Ｓを形成しながら、けんどんのための障子の飲み込み量を十分にとることができる。
【００３３】
−第２の実施形態−
本発明の第２の実施例を、図面を用いて説明する。
第２の実施例は、図６（ａ）に示すように、可動片６の上カバー部材５１に対する取付位置が上カバー部材５１の見込み方向で室外寄りである点、それに伴って、フラップ部６３が室内側に向かって下方に傾斜している点で、第１の実施例と異なっている。具体的には、上カバー部材５１のヒンジ受部５１１は上カバー部材５１の見込み方向で端部寄りである室外側に配置されており、上カバー部材５１の室外寄りのヒンジ受部５１１にヒンジ軸部６１が取り付けられた可動片６は、フラップ部６３が室内側下方に向かって延び、フラップ部６３の室内側先端部が外障子３の上框３１の上（外周）面に近接するとともに、内案内レール１１２ａに近接するように配置されている。
このため、図６（ｂ）に示すように、第１の実施例と同様に、外障子３の上框３１の上面との間隔ｙを１０ｍｍ以下とすることで、外障子３の上框３１と上枠１１との間に半密閉空間ｓ２を形成することができるとともに、内案内レール１１２ａの室外側面との間隔ｘを１０ｍｍ以下とすることにより、内案内レール１１２ａの室外側にも可動片６による半密閉空間ｓ３を形成することできるので、上枠からの熱の伝達をさらに抑制することができ、断熱サッシ全体における断熱性能を向上させることができる。
【００３４】
なお、可動片６のフラップ部６３の先端部は下方角部が斜めに面取りされたテーパー面６３ａとして形成されているので、室内側から障子をけんどんにより建て込む時には、障子上端がフラップ部６３に形成されたテーパー面６３ａに当接することで、フラップ部６３に対する引っかかりを防止することができ、障子の上端が当接することに対して、室外側のヒンジ軸部６１を中心としてスムーズに回動して障子を十分に飲み込むことができるとともに、可動片６の変形や破損を防止することができる。
【００３５】
−第３の実施形態−
本発明の第３の実施例は、図７（ａ）に示すように、可動片６の上カバー部材５１に対する取付け部分が弾性を有する幅狭部によって構成されている点で、第２の実施例と異なっている。具体的には、図７（ｂ）に示すように、可動片６は、上カバー部材５１に対して幅狭の弾性連絡部６４を介して一体的に形成されており、弾性連絡部６４の弾性によりフラップ部６３が上カバー部材５１に対して略２０度の角度に傾斜して配置するように構成されている。
なお、上カバー部材５１及びフラップ部６３を成形するに際して、フラップ部６３の先端部の厚みや弾性連絡部６４に用いる材料の弾性や厚さを適宜調節することで、上カバー部材５１を上枠に取り付けた際のフラップ部６３を傾斜角度を調節することができるが、フラップ部６３の傾斜角度調節は、例えば回動規制手段等を設けるなど適宜の方法で行えばよい。
このように、可動片６を上カバー部材５１に一体的に設けることにより、製造コストを下げることができると共に、上カバー部材５１に対する可動片６の取付作業を省くことができ、施工を簡単にすることができる。
【００３６】
以上のように、本発明の実施形態に係る断熱サッシは、上枠の内周面に樹脂製のカバー部材が配置されているので、金属製の上枠部材から冷熱が直接室内に伝わることがなく、さらに、カバー部材と上枠との間に空間を設けることで、断熱性能を高めることができる。
そして、カバー部材の見込み方向で室内寄り部分もしくは室外側寄り部分から、障子の上面に向かって傾斜して配置される可動片を設けているので、上枠と障子の上面との間の空間を分割することができるので、空間で発生する対流を分断して冷熱の伝達を抑制し、さらに、可動片を障子の上面に近接させることにより分割した空間を半密閉空間として構成することができるので、断熱性能のさらなる向上を図ることができる。
しかも、可動片は、取付状態においてカバー部材に対して上方に向かって回動自在であるので、枠体に対して障子をケンドンにより設置する際に障子の上辺に当接することで上方に回動して逃げることができ、上枠に十分な飲み込み寸法を維持することができ、上枠の見付け幅を小さくすることができ、採光性及び意匠性に優れた断熱サッシを提供することができる。
【００３７】
なお、可動片の形状は特に平板状に限定されるものではなく、中空形状とすることもできる。
また、先端と障子の上辺との寸法は、１０ｍｍ以下程度となるように近接させて半密閉空間を形成することが望ましいが、空間内に可動片が配置されることによりある程度の対流を抑えることができ、断熱性能を向上することができる。
【符号の説明】
【００３８】
１        ：枠体
１１      ：上枠
１１１    ：室外側上部材
１１１ａ  ：外案内レール
１１１ｂ  ：突起部
１１２    ：室内側上部材
１１２ａ  ：内案内レール
１１２ｂ  ：肩部
１１３    ：連結部材
１１４    ：樹脂上部材
１１４ａ  ：室外壁部
１１４ｂ  ：上壁部
１１４ｃ  ：室内壁部
１１４ｄ  ：額部
１２      ：下枠
１２１    ：室外側下部材
１２１ａ  ：外案内レール
１２２    ：室内側下部材
１２２ａ  ：内案内レール
１２３    ：連結部材
１２４    ：樹脂下部材
１２４ａ  ：底壁部
１２４ｂ  ：室内壁部
１２４ｄ  ：額部
１３      ：左縦枠
１３１    ：本体部材
１３１ａ  ：片
１３２    ：樹脂左部材
１３２ａ  ：本体部
１３２ｂ  ：額部
１３２ｃ  ：取付凹部
１３２ｄ  ：遮蔽部材
１４      ：右縦枠
１４１    ：本体部材
１４１ａ  ：片
１４２    ：樹脂右部材
１４２ａ  ：取付部
１４２ｂ  ：室内壁部
１４２ｃ  ：額部
２        ：内障子
２１      ：上框
２１ａ    ：案内溝
２１１    ：室外側上框部
２１２    ：室内側上框部
２２      ：下框
２２ａ    ：案内溝
２２１    ：室外側下框部
２２２    ：室内側下框部
２３      ：左縦框
２３１    ：室外側召合框部
２３２    ：室内側召合框部
２４      ：右縦框
２４１    ：室外側戸先框部
２４２    ：室内側戸先框部
３        ：外障子
３１      ：上框
３２      ：下框
３３      ：左縦框
３４      ：右縦框
５１      ：上カバー部材
５１ａ    ：係止爪
５１ｂ    ：係止片
５１１    ：ヒンジ受部
５１１ａ  ：膨出部
５１１ｂ  ：支持壁
５１１ｃ  ：室内側壁
５１１ｄ  ：規制壁
５１２    ：収納凹部
５１２ａ  ：凸部
５２      ：下カバー部材
６        ：可動片
６１      ：ヒンジ軸部
６１１    ：下方支持軸
６１２    ：上方支持軸
６２      ：連絡部
６３      ：フラップ部
６３ａ    ：テーパー面
６４      ：弾性連絡部
８１      ：突出部
８２      ：突出部
８３      ：突出部
８５      ：突出部
９３      ：気密材
【図１】
2017172258.tif 000003
【図２】
2017172258.tif 000004
【図３】
2017172258.tif 000005
【図４】
2017172258.tif 000006
【図５】
2017172258.tif 000007
【図６】
2017172258.tif 000008
【図７】
2017172258.tif 000009